(57)【特許請求の範囲】
【請求項１】
尻を支える尻支え部に凹みが設けられた座部と、
前記座部に連なって設けられた背もたれ部と、
前記尻支え部の尻支え面が平らになるよう前記凹みに嵌まり、前記座部に着脱可能な尻支えパッドと、
前記尻支えパッドを保持する保持手段を備え、
前記尻支えパッドを保持する前記保持手段は、その一方端部が前記背もたれ部と前記座部との境界部分に取り付けられ、その他方端部を移動させることにより前記背もたれ部側または前記座部側に配置可能なフラップを含み、
前記フラップを前記座部側に配置させたときに、前記尻支えパッドは前記凹みに嵌まる、育児器具の座席マット。
【請求項２】
前記保持手段は、前記背もたれ部上に設けられた第一の面ファスナと、
前記フラップ上に設けられ、前記フラップを前記背もたれ部側に配置させたときに前記第一の面ファスナと接合する第二の面ファスナとを含む、請求項１に記載の育児器具の座席マット。
【請求項３】
前記背もたれ部は、スリットを含み、
前記第一の面ファスナは、前記スリットの裏面に設けられており、
前記第二の面ファスナは、前記フラップの先端に設けられており、
前記フラップを前記背もたれ部側に配置させたときに、前記スリットに前記フラップの先端を挿入して、前記第一と第二の面ファスナとを接合する、請求項２に記載の育児器具の座席マット。
【請求項４】
座席本体と、
前記座席本体上に取り付けられて座席を形成する座席マットとを含み、
前記座席マットは、尻を支える尻支え部に凹みが設けられた座部と、前記座部に連なって設けられた背もたれ部と、前記尻支え部の尻支え面が平らになるよう前記凹みに嵌まり、前記座部に着脱可能な尻支えパッドと、前記尻支えパッドを保持する保持手段を備え、
前記尻支えパッドを保持する前記保持手段は、その一方端部が前記背もたれ部と前記座部との境界部分に取り付けられ、その他方端部を移動させることにより前記背もたれ部側または前記座部側に配置可能なフラップを含み、
前記フラップを前記座部側に配置させたときに、前記尻支えパッドは前記凹みに嵌まる、座席付き育児器具。
【発明の詳細な説明】
【技術分野】
【０００１】
この発明は、育児器具の座席マットおよび座席付き育児器具に関し、特に、育児器具に取り付けられる育児器具の座席マットおよびこのような育児器具の座席マットを含む座席付き育児器具に関するものである。
【背景技術】
【０００２】
乳母車やチャイルドシート等の育児器具には、クッション性を有する座席マットが備え付けられる。このような育児器具の座席マット（クッション）に関する技術が、特開２００７−９９２０１号公報（特許文献１）に開示されている。
【０００３】
特許文献１に開示のクッションは、平らなシートから山形に突出し、シートから分離不能な臀部パッドを備える。このようなクッションは、育児器具の背部を起こして椅子状の形態にした場合に、シート上に固定された臀部パッドで幼児の臀部を受け止めることにより、シート上に着座した幼児の前方向へのずれを防止することにしている。
【特許文献１】特開２００７−９９２０１号公報（段落番号０００９、図５等）
【発明の開示】
【発明が解決しようとする課題】
【０００４】
特許文献１に開示されたクッションにおいては、育児器具の背部を起こして椅子状の形態にした場合には、臀部パッドで幼児の前方への位置ずれを防止することができる。ここで、椅子状の形態にした場合においては、乳児の尻に荷重が集中するが、局所的に荷重が集中することは避けたい。また、生後間もない乳児については、酸素飽和度の低下防止の観点から、平らな状態で寝かせる必要がある。しかし、特許文献１に開示されたクッションでは、育児器具の背部を倒してベッド状の形態にした場合に、シートは平らにならない。すなわち、特許文献１に開示されたクッションでは、育児器具の背部を起こした椅子状の形態、および育児器具の背部を倒したベッド状の形態において、最適な構造とすることはできない。
【０００５】
この発明の目的は、育児器具の背もたれ部を倒したベッド状の形態および育児器具の背もたれ部を起こした椅子状の形態において、最適な構造とすることができる育児器具の座席マットを提供することである。
【０００６】
この発明の他の目的は、より適切に乳児を保持することができる座席付き育児器具を提供することである。
【課題を解決するための手段】
【０００７】
この発明に係る育児器具の座席マットは、尻を支える尻支え部に凹みが設けられた座部と、座部に連なって設けられた背もたれ部と、尻支え部の尻支え面が平らになるよう凹みに嵌まり、座部に着脱可能な尻支えパッドとを備える。
【０００８】
このように構成することにより、育児器具の背もたれ部を倒してベッド状の形態にした場合には、尻支えパッドを尻支え部の凹みに嵌めて座部に装着することにより、尻支え部の尻支え面を平らにすることができる。そうすると、座席マット上を平らなベッド状の形態にすることができる。また、育児器具の背もたれ部を起こして椅子状の形態にした場合には、尻支えパッドを座部から取り外すことにより、尻支え部の凹みで乳児の尻を保持して、前方への位置ずれが生じるのを防止することができる。さらに、尻支え部を凹ませることにより、乳児の尻への局所荷重を緩和し、凹みの周囲へ体圧を分散することができる。したがって、このような育児器具の座席マットは、育児器具の背もたれ部を倒したベッド状の形態および育児器具の背もたれ部を起こした椅子状の形態において、最適な構造とすることができる。
【０００９】
好ましくは、尻支えパッドを保持する保持手段を備える。こうすることにより、座部に着脱可能な尻支えパッドを紛失する恐れを低減することができる。
【００１０】
さらに好ましくは、尻支えパッドを保持する保持手段は、その一方端部が背もたれ部と座部との境界部分に取り付けられ、その他方端部を移動させることにより背もたれ部側または座部側に配置可能なフラップを含む。ここで、フラップを座部側に配置させたときに、尻支えパッドは凹みに嵌まる。こうすることにより、背もたれ部を倒した状態にするには、フラップの他方端部を移動させて、フラップを座部側に配置させ、凹みに尻支えパッドを嵌めることができる。また、背もたれ部を起こした状態にするには、フラップの他方端部を移動させて、フラップを背もたれ部側に配置させることができる。したがって、容易に、フラップに保持された尻支えパッドを着脱することができる。また、背もたれ部を起こした状態では、尻支えパッドを利用して、背もたれ部の背もたれ面を、座席マット上に着座した乳児の背骨の形状に沿った形状にすることができる。したがって、乳児の着座状態をより適切に保つことができる。
【００１１】
さらに好ましくは、保持手段は、背もたれ部上に設けられた第一の面ファスナと、フラップ上に設けられ、フラップを背もたれ部側に配置させたときに第一の面ファスナと接合する第二の面ファスナとを含む。こうすることにより、第一の面ファスナと第二の面ファスナを用いて、容易にフラップを背もたれ部側に配置させ、その状態を維持することができる。
【００１２】
さらに好ましくは、背もたれ部は、スリットを含む。第一の面ファスナは、スリットの裏面に設けられている。第二の面ファスナは、フラップの先端に設けられている。ここで、フラップを背もたれ部側に配置させたときに、スリットにフラップの先端を挿入して、第一と第二の面ファスナとを接合する。こうすることにより、背もたれ部上に設けられた第一の面ファスナおよびフラップ上に設けられた第二の面ファスナが露出しなくなるため、座席マット上の乳児が第一および第二の面ファスナに接触する恐れを低減することができる。
【００１３】
この発明の他の局面においては、座席付き育児器具は、座席本体と、座席本体上に取り付けられて座席を形成する座席マットとを含み、座席マットは、尻を支える尻支え部に凹みが設けられた座部と、座部に連なって設けられた背もたれ部と、尻支え部の尻支え面が平らになるよう凹みに嵌まり、座部に着脱可能な尻支えパッドと、尻支えパッドを保持する保持手段を備え、尻支えパッドを保持する保持手段は、その一方端部が背もたれ部と座部との境界部分に取り付けられ、その他方端部を移動させることにより背もたれ部側または座部側に配置可能なフラップを含み、フラップを座部側に配置させたときに、尻支えパッドは凹みに嵌まる。
【００１４】
このような座席付き育児器具は、育児器具の背もたれ部を倒したベッド状の形態および育児器具の背もたれ部を起こした椅子状の形態において、最適な構造とすることができる育児器具の座席マットを含むため、より適切に乳児を保持することができる。
【００１５】
ここで、座席マットとは、乳母車やチャイルドシート等の座席形成部材上に置かれ、クッション性を与えるもののみならず、例えば、乳母車を構成する車体フレームに固定して取り付けられ、座席を形成する座席ハンモック状のものも含むものである。
【発明の効果】
【００１６】
この発明によれば、育児器具の背もたれ部を倒してベッド状の形態にした場合には、尻支えパッドを尻支え部の凹みに嵌めて座部に装着することにより、尻支え部の尻支え面を平らにすることができる。そうすると、座席マット上を平らなベッド状の形態にすることができる。また、育児器具の背もたれ部を起こして椅子状の形態にした場合には、尻支えパッドを座部から取り外すことにより、尻支え部の凹みで乳児の尻を保持して、前方への位置ずれが生じるのを防止することができる。さらに、尻支え部を凹ませることにより、乳児の尻への局所荷重を緩和し、凹みの周囲へ体圧を分散することができる。したがって、このような育児器具の座席マットは、育児器具の背もたれ部を倒したベッド状の形態および育児器具の背もたれ部を起こした椅子状の形態において、最適な構造とすることができる。
【００１７】
また、このような座席付き育児器具は、育児器具の背もたれ部を倒したベッド状の形態および育児器具の背もたれ部を起こした椅子状の形態において、最適な構造とすることができる育児器具の座席マットを含むため、より適切に乳児を保持することができる。
【発明を実施するための最良の形態】
【００１８】
以下、この発明の実施の形態を、図面を参照して説明する。図１および図２は、この発明の一実施形態に係る育児器具の座席マット１１を示す平面図である。図１は、後述するフラップ１６を座部１３側に配置させた状態を示し、図２は、フラップ１６を背もたれ部１２側に配置させた状態を示す。図３は、図１に示す育児器具の座席マット１１を、図１中のＩＩＩ−ＩＩＩで切断した場合の断面図である。図４は、図２に示す育児器具の座席マット１１を、図２中のＩＶ−ＩＶで切断した場合の断面図であり、背もたれ部１２を起こした状態を示す。図５は、この発明の一実施形態に係る育児器具の座席マット１１のうち、背もたれ部１２を起こした状態を示す概略斜視図である。なお、図４においては、育児器具の座席マット１１上に着座した乳児を図示している。また、図１および図２において、背もたれ部１２と座部１３との境界部分１９を一点鎖線で示している。
【００１９】
図１〜図５を参照して、育児器具の座席マット１１は、尻を支える尻支え部に凹み１４が設けられた座部１３と、座部１３に連なって設けられた背もたれ部１２と、尻支え部の尻支え面１８が平らになるよう凹み１４に嵌まり、座部１３に着脱可能な尻支えパッド１５とを備える。背もたれ部１２、座部１３および尻支えパッド１５は、クッション性を有する部材から構成されている。なお、ここでは、凹み１４は、座部１３を貫通するように設けられている。背もたれ部１２には、肩ベルト（図示せず）を通すベルト穴２７ａ、２７ｂが設けられている。また、座部１３にも、股ベルト（図示せず）を通すベルト穴２５が設けられている。
【００２０】
このような育児器具の座席マット１１は、例えば、乳母車（図示せず）のような座席付き育児器具の座席本体上に置かれ、取り付けられる。座席付き育児器具としての乳母車は、座席本体と、座席本体上に取り付けられて座席を形成する座席マット１１とを含む。乳母車は、座席本体の背部を倒すことにより、ベッド状の形態にすることができる。また、座席本体の背部を起こすことにより、椅子状の形態にすることができる。
【００２１】
境界部分１９は容易に折曲げ可能であって、この部分を基点として、座席マット１１は、取り付けられる乳母車の座席本体の形態に沿って、背もたれ部１２を倒したり、起こしたりすることができる。座席本体の背部を倒し、これに合わせて背もたれ部１２を倒すと、図３に示すように座席マット１１はベッド状の形態となり、座席マット１１上で乳児を寝かせることができる。また、座席本体の背部を起こし、これに合わせて背もたれ部１２を起こすと、図４に示すように座席マット１１は椅子状の形態となり、座席マット１１上で乳児を着座させることができる。
【００２２】
座席マット１１は、尻支えパッド１５を保持する保持手段として、フラップ１６を備える。こうすることにより、座部１３に着脱可能な尻支えパッド１５を紛失する恐れを低減することができる。フラップ１６は布状の部材である。なお、フラップ１６についても、股ベルトを通すベルト穴２６が設けられている。
【００２３】
フラップ１６は、その一方端部１７が背もたれ部１２と座部１３との境界部分１９に取り付けられている。尻支えパッド１５は、フラップ１６のうち、座部１３側に位置する面から突出するように保持されている。フラップ１６の他方端部である先端２１を移動させることにより、フラップ１６を背もたれ部１２側および座部１３側に配置することができる。フラップ１６を座部１３側に配置した状態においては、フラップ１６に保持された尻支えパッド１５は、凹み１４に嵌まり、尻支え部の尻支え面１８が平らとなるよう構成されている。
【００２４】
背もたれ部１２には、スリット２３が設けられている。スリット２３は、背もたれ部１２のうち、フラップ１６を背もたれ部１２側に配置した場合に、先端２１が位置する部分に設けられている。スリット２３の裏面には、第一の面ファスナ２４が設けられている。フラップ１６の先端２１には、第二の面ファスナ２２が設けられている。フラップ１６を背もたれ部１２側に配置させたときに、スリット２３にフラップ１６の先端２１を挿入して、第一および第二の面ファスナ２４、２２を接合することができる。こうすることにより、第一の面ファスナ２４と第二の面ファスナ２２を用いて、容易にフラップ１６を背もたれ部１２側に配置させ、その状態を維持することができる。また、第一および第二の面ファスナ２４、２２が露出しなくなるため、座席マット１１上の乳児が第一および第二の面ファスナ２４、２２に接触する恐れを低減することができる。
【００２５】
次に、座席本体の背部を倒し、これに合わせて背もたれ部１２を倒してベッド状の形態にした場合について説明する。この場合、先端２１を座部１３側に移動させて、フラップ１６を座部１３側に配置させる。ここで、尻支えパッド１５は、凹み１４に嵌まり、尻支え部の尻支え面１８は平らになる。そうすると、座席マット１１上は平らなベッド状の形態となる。したがって、平らな状態で乳児を寝かせることができる。
【００２６】
次に、座席本体の背部を起こし、これに合わせて背もたれ部１２を起こして椅子状の形態にした場合について説明する。この場合、先端２１を背もたれ部１２側に移動させて、尻支えパッド１５を座部１３から取り外し、フラップ１６を背もたれ部１２側に配置させる。そして、スリット２３にフラップ１６の先端２１を挿入して第一および第二の面ファスナ２４、２２を接合し、フラップ１６を背もたれ部１２側に配置した状態を保持する。このように、尻支えパッド１５を座部１３から取り外すことにより、尻支え部の凹み１４で乳児の尻を保持して、前方への位置ずれが生じるのを防止することができる。さらに、尻支え部を凹ませることにより、乳児の尻への局所荷重を緩和し、凹み１４の周囲へ体圧を分散することができる。
【００２７】
ここで、乳児が成長し、一人座りできるようになると、乳児の背骨は真直ぐな状態から、Ｓ字状になる。この場合、すなわち、フラップ１６を背もたれ部１２側に配置した場合においては、背もたれ部１２側に尻支えパッド１５も配置されることになる。そうすると、尻支えパッド１５を利用して、背もたれ部１２の背もたれ面を、座席マット１１上に着座した乳児の背骨の形状に沿った形状にすることができる。したがって、乳児の着座状態をより適切に保つことができる（図４参照）。
【００２８】
次に、この発明の他の実施の形態に係る育児器具の座席マットについて説明する。図６は、この発明の他の実施の形態に係る育児器具の座席マットを示す平面図であり、図１に対応する。なお、図１に示す座席マット１１と同様の構成については、その説明および図示を省略する。
【００２９】
図６を参照して、育児器具の座席マット３１は、背もたれ部３２と、尻支え部に凹みが設けられた座部３３と、尻支えパッド３４を保持するフラップ３５とを備える。背もたれ部３２の背もたれ面上には、二つの第一の面ファスナ３７ａ、３７ｂが設けられている。フラップ３５の左右の端部には、フラップ３５を背もたれ部３２側に配置させたときに二つの第一の面ファスナ３７ａ、３７ｂと接合する二つの第二の面ファスナ３６ａ、３６ｂが設けられている。
【００３０】
ここで、座席本体の背部を倒し、これに合わせて背もたれ部３２を倒してベッド状の形態にする場合には、フラップ３５に保持される尻支えパッド３４を座部３３の凹みに嵌めるようにして、フラップ３５を座部３３側に配置する。このようにして、尻支え部の尻支え面を平らにして、座席マット３１を平らなベッド状の形態にする。
【００３１】
また、座席本体の背部を倒し、これに合わせて背もたれ部３２を起こして椅子状の形態にする場合には、尻支えパッド３４を保持するフラップ３５を座部３３から取り外して、二つの第一および第二の面ファスナ３７ａ、３７ｂ、３６ａ、３６ｂを接合し、フラップ３５を背もたれ部３２側に配置させる。こうすることにより、乳児を座席マット３１上に着座させたときに、乳児の尻を凹みで保持して、前方への位置ずれが生じるのを防止することができる。また、尻支え部を凹ませることにより、乳児の尻への局所荷重を緩和し、凹みの周囲へ体圧を分散することができる。さらに、この場合も、背もたれ部３２側に配置され、第一および第二の面ファスナ３７ａ、３７ｂ、３６ａ、３６ｂで保持されるフラップ３５の尻支えパッド３４により、背もたれ部３２の背もたれ面を、乳児の背骨の形状に沿った形状にすることができる。
【００３２】
次に、この発明のさらに他の実施の形態について説明する。図７は、この発明のさらに他の実施の形態に係る育児器具の座席マットを示す平面図であり、図１および図６に対応する。なお、図１、図６に示す座席マット１１と同様の構成については、その説明および図示を省略する。
【００３３】
図７を参照して、育児器具の座席マット４１は、背もたれ部４２と、尻支え部に凹みが設けられた座部４３と、尻支えパッド４４を保持するフラップ４５とを備える。
【００３４】
ここで、座席本体の背部を倒し、これに合わせて背もたれ部４２を倒してベッド状の形態にする場合には、フラップ４５に保持される尻支えパッド４４を座部４３の凹みに嵌めるようにして、フラップ４５を座部４３側に配置する。このようにして、尻支え部の尻支え面を平らにして、座席マット４１を平らなベッド状の形態にする。
【００３５】
また、座席本体の背部を倒し、これに合わせて背もたれ部４２を起こして椅子状の形態にする場合には、尻支えパッド４４を保持するフラップ４５を座部４３から取り外す。こうすることにより、乳児を座席マット４１上に着座させたときに、乳児の尻を凹みで保持して、前方への位置ずれが生じるのを防止することができる。さらに、尻支え部を凹ませることにより、乳児の尻への局所荷重を緩和し、凹みの周囲へ体圧を分散することができる。
【００３６】
なお、上記の実施の形態においては、座部に設けられた凹みは、座部を貫通することにしたが、これに限らず、座部を貫通しない構成の凹みとしてもよい。
【００３７】
また、上記の実施の形態においては、尻支えパッドを保持する保持手段としてフラップを含むことにしたが、これに限らず、他の保持手段、例えば、紐状の部材で尻支えパッドを座席マットに保持するようにしてもよい。
【００３８】
以上、図面を参照してこの発明の実施形態を説明したが、この発明は、図示した実施形態のものに限定されない。図示した実施形態に対して、この発明と同一の範囲内において、あるいは均等の範囲内において、種々の修正や変形を加えることが可能である。
【産業上の利用可能性】
【００３９】
この発明に係る育児器具の座席マットは、育児器具の背もたれ部を倒したベッド状の形態および育児器具の背もたれ部を起こした椅子状の形態において、最適な構造とすることができるため、乳母車やチャイルドシートに取り付けられる場合に、有効に利用される。
【図面の簡単な説明】
【００４０】
【図１】この発明の一実施形態に係る育児器具の座席マットにおいて、フラップを座部側に配置した状態を示す平面図である。
【図２】図１に示す育児器具の座席マットにおいて、フラップを背もたれ部側に配置した状態を示す平面図である。
【図３】図１に示す状態の育児器具の座席マットを、図１中のＩＩＩ−ＩＩＩで切断した場合の断面図である。
【図４】図２に示す状態の育児器具の座席マットを、図２中のＩＶ−ＩＶで切断し、背もたれ部を起こした場合の断面図である。
【図５】背もたれ部を起こした状態の育児器具の座席マットを示す概略斜視図である。
【図６】この発明の他の実施形態に係る育児器具の座席マットを示す平面図である。
【図７】この発明のさらに他の実施形態に係る育児器具の座席マットを示す平面図である。
【符号の説明】
【００４１】
１１，３１，４１  座席マット、１２，３２，４２  背もたれ部、１３，３３，４３  座部、１４  凹み、１５，３４，４４  尻支えパッド、１６，３５，４５  フラップ、１７  端部、１８  尻支え面、１９  境界部分、２１  先端、２４，３７ａ，３７ｂ  第一の面ファスナ、２３  スリット、２２，３６ａ，３６ｂ  第二の面ファスナ、２５，２６，２７ａ，２７ｂ  ベルト穴。
【図１】
0005167555.tif 000002
【図２】
0005167555.tif 000003
【図３】
0005167555.tif 000004
【図４】
0005167555.tif 000005
【図５】
0005167555.tif 000006
【図６】
0005167555.tif 000007
【図７】
0005167555.tif 000008